(57)【特許請求の範囲】
【請求項１】
ポータブルトイレにおけるロールペーパー用のペーパーホルダーの取付構造であって、
上記ペーパーホルダーは、上記ポータブルトイレに固定される固定部材と、該固定部材
に１つ又は複数の連結部材を介して連結されるホルダー本体と、を備えており、
上記固定部材と上記連結部材との間、上記連結部材と上記ホルダー本体との間、及び、
複数の連結部材を用いる場合に連結部材同士の間は、連結角度調整手段を介して連結され
、
上記連結角度調整手段は、側方に開放された切欠部分を有する筒状のグリップ部と、棒
状の軸部を有する軸体と、を有しており、前記グリップ部の内周面又は前記軸部の外周面
の何れか一方に１つ又は複数の突条又は突起を設け、何れか他方に１つ又は複数の凹条又
は穴部を前記突条又は前記突起と対応するように設けて、前記突条又は前記突起と、前記
凹条又は前記穴部と、によって構成された凹凸の係合関係によって連結角度が固定され、
該凹凸の係合関係の解除によって連結角度を変更自在に構成されたものである
ことを特徴とするペーパーホルダーの取付構造。
【請求項２】
上記軸体は、略円板状をなすベース部の下面に突出して形成されており、連結状態にあ
る上記グリップ部と上記軸体においては、該グリップ部の上面に該軸体のベース部の下面
が当接されている
請求項１に記載のペーパーホルダーの取付構造。
【請求項３】
上記ホルダー本体には切断機構部が装着されるように構成されている
請求項１又は請求項２に記載のペーパーホルダーの取付構造。
【請求項４】
上記切断機構部の内部には、
上記ロールペーパーから繰り出されたペーパーを切断する刃先部と、
上記刃先部による上記ペーパーの切断に際して上記ペーパーを押し止める押さえ部と、
が設けられることにより、
上記ロールペーパーから繰り出されたペーパーを片手で切断できるように構成されている
請求項３に記載のペーパーホルダーの取付構造。
【発明の詳細な説明】
【技術分野】
【０００１】
本発明は、ポータブルトイレに取り付けて使用するロールペーパー用のペーパーホルダーの取付構造に関するものである。
【背景技術】
【０００２】
従来、身障者や高齢者を使用対象としたポータブルトイレに取り付けて使用するロールペーパー用のペーパーホルダーとして、例えば特許文献１，２に示すような構成のものが提供されている。
特許文献１のペーパーホルダーは、切欠環状の取付部と、該取付部から延設されたペーパーロール支持アームとからなり、ポータブルトイレに設けられたアームレストの支柱に対して上記取付部を、該取付部の切欠部分を介して嵌着することにより、ポータブルトイレに取り付けられるように構成されている。
特許文献２のペーパーホルダーは、ペーパーロール支持腕杆の円環状基端部を、ポータブルトイレに設けられたアームレストの支柱に嵌通させるように構成されている。
【先行技術文献】
【特許文献】
【０００３】
【特許文献１】特開平１１−２７６３７９号公報
【特許文献２】特開２００１−３５３０９９号公報
【発明の概要】
【発明が解決しようとする課題】
【０００４】
ところで、上記のようなポータブルトイレの使用者は、高齢者や身障者等のような身体の不自由な者が多く、こうした者には、右半身や左半身が不自由な者や片麻痺などで片手しか自由に使えない者が含まれる。
上記従来のペーパーホルダーは、取付部又は円環状基端部を付け替えることで、所望に応じてポータブルトイレの右側又は左側の何れにも取り付けることができるようになっており、右半身や左半身が不自由な者に対する利便性の向上が図られている。
しかし、上記従来のペーパーホルダーは、アームレストの支柱の軸線を中心とした回転による移動しかできず、該ペーパーホルダーに支持されたロールペーパーを使用者にとって使い勝手の良い位置に移動させることが十分に出来ないという問題があった。
さらに上記従来のペーパーホルダーは、該ペーパーホルダーに支持されたロールペーパーからペーパーを繰り出したり、該ペーパーを切ろうとしたりするときに、該ペーパーホルダーがアームレストの支柱の軸線を中心に回転してしまうので、ペーパーを繰り出したり、切ろうとしたりする手とは逆の手でロールペーパーを押さえておく等のように両手を使う必要があり、特に片手しか自由に使えない者にとっては使用が困難であるという問題があった。
本発明は、このような従来技術に存在する問題点に着目してなされたものであり、その目的とするところは、ロールペーパーを使用者にとって使い勝手の良い位置に好適に移動させることができるとともに、ペーパーの繰り出し時や切断時に必ずしも両手を使う必要がないペーパーホルダーの取付構造を提供することにある。
【課題を解決するための手段】
【０００５】
上記の目的を達成するために、請求項１に記載のペーパーホルダーの取付構造の発明は
、ポータブルトイレにおけるロールペーパー用のペーパーホルダーの取付構造であって、
上記ペーパーホルダーは、上記ポータブルトイレに固定される固定部材と、該固定部材に
１つ又は複数の連結部材を介して連結されるホルダー本体と、を備えており、上記固定部
材と上記連結部材との間、上記連結部材と上記ホルダー本体との間、及び、複数の連結部
材を用いる場合に連結部材同士の間は、連結角度調整手段を介して連結され、上記連結角
度調整手段は、側方に開放された切欠部分を有する筒状のグリップ部と、棒状の軸部を有
する軸体と、有しており、前記グリップ部の内周面又は前記軸部の外周面の何れか一方に
１つ又は複数の突条又は突起を設け、何れか他方に１つ又は複数の凹条又は穴部を前記突
条又は前記突起と対応するように設けて、前記突条又は前記突起と、前記凹条又は前記穴
部と、によって構成された凹凸の係合関係によって連結角度が固定され、該凹凸の係合関
係の解除によって連結角度を変更自在に構成されたものであることを要旨とする。
請求項２に記載の発明は、請求項１に記載のペーパーホルダーの取付構造の発明におい
て、上記軸体は、略円板状をなすベース部の下面に突出して形成されており、連結状態に
ある上記グリップ部と上記軸体においては、該グリップ部の上面に該軸体のベース部の下
面が当接されていることを要旨とする。
請求項３に記載の発明は、請求項１又は請求項２に記載のペーパーホルダーの取付構造
の発明において、上記ホルダー本体には切断機構部が装着されるように構成されているこ
とを要旨とする。
請求項４に記載の発明は、請求項３に記載のペーパーホルダーの取付構造の発明におい
て、上記切断機構部の内部には、上記ロールペーパーから繰り出されたペーパーを切断す
る刃先部と、上記刃先部による上記ペーパーの切断に際して上記ペーパーを押し止める押
さえ部と、が設けられることにより、上記ロールペーパーから繰り出されたペーパーを片
手で切断できるように構成されていることを要旨とする。
【発明の効果】
【０００６】
〔作用〕
本発明のペーパーホルダーの取付構造によれば、固定部材は、ポータブルトイレに固定
されているので、ペーパーの繰り出し時や切断時に動いてしまうことがない。
上記固定部材とロールペーパーを支持するホルダー本体との間に連結部材を設け、それ
ぞれの間を連結角度調整手段で連結することにより、上記固定部材と上記ホルダー本体と
の間の複数箇所で連結角度を変更できるようになるので、ロールペーパーを使用者にとっ
て使い勝手の良い位置に移動させる際の自由度を増すことができる。
上記連結角度調整手段は、切欠部分を有する筒状のグリップ部と、棒状の軸部を有する
軸体と、によって構成され、グリップ部又は軸体の何れか一方に突条又は突起が設けられ
、他方に凹条又は穴部が設けられている。該連結角度調整手段は、該突条又は該突起と、
該凹条又は該穴部とによって凹凸を構成し、該凹凸の係合関係によって連結角度が固定さ
れ、該凹凸の係合関係の解除によって連結角度を変更自在に構成されたものである。
従って、上記連結角度調整手段は、簡易な構成でありながら、連結を好適に行うことが
できるとともに、必要に応じて連結の解除や、連結を緩めることによる上記凹凸の係合関
係の解除を容易に行うことができる。更に、上記凹凸の係合関係を解除して連結角度を所
望に応じて変更することで、ロールペーパーを使用者にとって使い勝手の良い位置に好適
に移動させることができるとともに、上記凹凸の係合関係を保持することで連結角度が固
定されるので、ペーパーの繰り出し時や切断時に必ずしも両手を使う必要がない。
また、上記軸体は、略円板状をなすベース部の下面に突出して形成されており、連結状
態で上記グリップ部の上面に該ベース部の下面が当接されることで、上記軸体の上記グリ
ップ部からの下方への抜け落ちが抑制される。
また上記ホルダー本体に、ペーパーを片手で切断できるように構成された切断機構部を
装着することにより、片手のみでペーパーを切ることができる。
【０００７】
〔効果〕
本発明にあっては、ロールペーパーを使用者にとって使い勝手の良い位置に好適に移動させることができるとともに、ペーパーの繰り出し時や切断時に必ずしも両手を使う必要がないペーパーホルダーの取付構造を提供することが出来る。
【図面の簡単な説明】
【０００８】
【図１】ポータブルトイレにペーパーホルダーを取り付けた状態を示す斜視図。
【図２】固定部材を示す斜視図。
【図３】連結部材を示す斜視図。
【図４】ホルダー本体を示す斜視図。
【図５】切断機構部を示す斜視図。
【図６】切断機構部を示す側断面図。
【図７】切断機構部を用いてペーパーを切断する状態を示す側断面図。
【図８】切断機構部を用いてペーパーを切断した状態を示す側断面図。
【図９】連結角度調整手段による連結角度の変更を示す平断面図。
【図１０】ペーパーホルダーの取付態様を示す説明図。
【図１１】ペーパーホルダーのその他の取付態様を示す説明図。
【図１２】別形態の固定部材を示す斜視図。
【発明を実施するための形態】
【０００９】
以下、本発明を具体化した一実施形態について説明する。
図１に示すように、ポータブルトイレ１０は、左右一対の脚部１１と、これら脚部１１によって支持された本体１２と、該本体１２の後端から上方に差し出された背もたれ１３と、を有している。上記本体１２の左右両側部には、支持板１４を介してアームレスト１５Ａ，１５Ｂが取り付けられている。そして、右側アームレスト１５Ａの下面で前端部には、ペーパーホルダー２０が取り付けられている。
【００１０】
上記ペーパーホルダー２０は、上記右側アームレスト１５Ａに固定される固定部材２１と、該固定部材２１に連結された連結部材２２と、該連結部材２２を介して該固定部材２１に連結されるホルダー本体２３と、該ホルダー本体２３に装着される切断機構部２４と、を備えている（図１参照）。
上記ペーパーホルダー２０は、固定部材２１と連結部材２２の間、及び、連結部材２２とホルダー本体２３の間に、連結角度調整手段が設けられており、該連結角度調整手段を用いることで、それぞれの間の連結角度を所望に応じて適宜変更することができるように構成されている（図９参照）。
そして上記ペーパーホルダー２０のホルダー本体２３に、ロールペーパーＲＰが支持されることにより、ポータブルトイレ１０の使用者は、該ロールペーパーＲＰから適宜ペーパーを繰り出して、使用することができるようになっている。
【００１１】
図２に示すように、上記固定部材２１は、側面視Ｔ字の柱状をなす取付部３１を有している。該取付部３１の前部及び後部には、上記アームレスト１５Ａ，１５Ｂに固定するための固定孔３２が上下方向に貫通形成されている。
上記固定部材２１は、上記アームレスト１５Ａ，１５Ｂに対し、上記取付部３１の上部が上記アームレスト１５Ａ，１５Ｂの長手方向に沿って伸びるように配される（図１０参照）。そして、該固定孔３２にネジやピン等を挿通することにより、該ネジ等を介して上記アームレスト１５Ａ，１５Ｂに上記固定部材２１の取付部３１が、取付固定される。
上記固定部材２１において、取付部３１の側面で下端部には、上記連結角度調整手段を構成するグリップ部４１が、側方へ突出するように設けられている。該グリップ部４１は、平面視Ｃ環をなす筒状に形成されており、側方に開放された切欠部分４２を有している。また該グリップ部４１の内周面上で、上記切欠部分４２の対向位置には、１つの突条４３が上下方向に伸びるように形成されている。
【００１２】
図３に示すように、上記連結部材２２は、角柱状の連結部３３を有している。該連結部
３３の一面（図３中で奥側となる面）には、上記連結角度調整手段を構成する軸体４４が
凸設されている。該軸体４４は、上記連結部３３の一面で上端から延設された略円板状を
なすベース部４４Ａと、該ベース部４４Ａの下面で中央から突出するように形成された軸
部４４Ｂと、からなる。該軸部４４Ｂの周面上には、複数の凹条４５が上下方向に伸びる
ように形成されている。
上記連結部材２２は、上記軸体４４の軸部４４Ｂを、上記固定部材２１の上記グリップ
部４１に嵌着することにより、連結角度調整手段である軸体４４及びグリップ部４１を介
して該固定部材２１と連結されている。
上記連結部材２２の連結部３３において、上記軸体４４が設けられた一面と対向する他
面（図３中で手前側となる面）には、上記連結角度調整手段を構成するグリップ部４１が
、凸設されている。該グリップ部４１は、上記固定部材２１に設けられたグリップ部４１
と同一構成とされている。
【００１３】
図４に示すように、上記ホルダー本体２３は、縦長の矩形状をなす支柱３４を有している。該支柱３４の一面（図４中で奥側となる面）には、上記連結角度調整手段を構成する軸体４４が凸設されている。該軸体４４は、上記連結部材２２に設けられた軸体４４と同一構成とされている。
上記支柱３４において、上記軸体４４が設けられた一面と対向する他面（図４中で手前側となる面）には、上記ロールペーパーＲＰを支持するための支持アーム３５が、横方向へ略水平に延設されている。該支持アーム３５の先端には、板状の抜止部３５Ａが設けられており、該抜止部３５Ａによって該支持アーム３５に支持されたロールペーパーＲＰの抜け落ちを抑制している。
上記支柱３４の上面には、取付座３６が凸設されている。該取付座３６の一面上からは、差込片３７が延設されている。該取付座３６及び該差込片３７は、上記切断機構部２４を上記ホルダー本体２３に装着するためのものであり、該差込片３７は、上記支持アーム３５と略平行に伸びるように形成されている。
【００１４】
図５及び図６に示すように、上記切断機構部２４は、下部ベース４１と、上部カバー４２とを有している。
上記下部ベース４１は、左右一対の側板４３Ａ，４３Ｂと、これら側板４３Ａ，４３Ｂの間に架設された棚板４４と、によって構成されている。左右一対の側板４３Ａ，４３Ｂのうち、右側板４３Ａには、ヒンジ４５を介して上記上部カバー４２が回動可能に接続され、該ヒンジ４５を中心に該上部カバー４２は、下部ベース４１に対して側方へ開閉可能に構成されている。また左側板４３Ｂには、下部ベース４１に対して上部カバー４２を閉じた状態でロックするロック機構（図示略）が設けられている。
【００１５】
上記下部ベース４１に対して上記上部カバー４２を閉じた状態で、上記切断機構部２４の後部及び前部は外側に向かって開口されている。該切断機構部２４の後部の開口は、ロールペーパーＲＰから繰り出されたペーパーＰが挿入される挿入口４７とされている。該切断機構部２４の前部の開口は、該切断機構部２４の内部からペーパーＰを外部へ繰り出す繰出口４８とされている。
切断機構部２４の内部において、上記挿入口４７と上記繰出口４８の間で上記棚板４４の上面から上の空間は、繰出路４９とされている。上記切断機構部２４を使用したペーパーＰの切断に際して、該繰出路４９におけるペーパーＰの繰り出し方向は、挿入口４７から繰出口４８へ向かう一定方向とされる。また上記切断機構部２４を使用していない状態で、該切断機構部２４の内部に挿入されたペーパーＰの端部は、上記棚板４４の上面に載置され、保持される。
【００１６】
上記上部カバー４２の内部には、カッター部材５０が設けられている。該カッター部材５０は、板状に形成されており、一端部である前端部に鋸歯状の刃先部５１が設けられ、他端部である後端部が押さえ部５２とされている。該カッター部材５０において、刃先部５１と押さえ部５２との間には、回動軸５３が、押さえ部５２側へ片寄って設けられている。
上記カッター部材５０は、上記押さえ部５２に対して上記刃先部５１が上記ペーパーＰの繰り出し方向側、つまり繰出口４８側に向くように配したうえで、回動軸５３を介して上部カバー４２の内側に装着されている。該カッター部材５０は、該回動軸５３を中心として上記切断機構部２４の内部でシーソー状に回動可能とされているが、該回動軸５３が押さえ部５２側へ片寄って設けられているため、刃先部５１が下方へ向かう方向へ回動するように付勢されている。上部カバー４２の内部には、規制片５４が設けられ、付勢された該カッター部材５０は、該規制片５４に当たることで、該規制片５４より下方へ回動することを規制されている。
【００１７】
上記カッター部材５０には板状をなすカバー部材５５の後端５５ａが、上記回動軸５３と同軸になるように枢着されている。該カバー部材５５の前端には、上記カッター部材５０の刃先部５１を外側から覆うための刃先カバー５６が設けられている。該カバー部材５５上で刃先カバー５６よりも後端寄りには、押し上げ片５７が下方へ突設されている。
上記カッター部材５０上には、上記押し上げ片５７と対応する位置でスリット５８が設けられており、該押し上げ片５７は、刃先カバー５６が刃先部５１を覆った状態で、該スリット５８に挿通されている。また該カバー部材５５上には、刃先カバー５６と押し上げ片５７との間に、待避孔５９が貫通形成されており、刃先カバー５６が刃先部５１を覆った状態で、該待避孔５９には刃先部５１が挿入待避されるようになっている。
【００１８】
上記切断機構部２４を使用したペーパーＰの切断について説明する。
ペーパーＰを所望の長さに繰り出して切断する際には、まず上記棚板４４の上面に載置されたペーパーＰを、上記切断機構部２４の内部で繰出路４９から繰出口４８へと繰り出しつつ上方へ持ち上げることで、カッター部材５０の刃先部５１に押し当てる。
該刃先部５１に当たる前に、ペーパーＰは、図７に示すように、まずカバー部材５５の押し上げ片５７に当たり、カッター部材５０に対してカバー部材５５が刃先カバー５６とともに上方へ押し上げられた状態となる。
上記の状態で刃先部５１が外部に露出されるので、ペーパーＰを刃先部５１に押し当てつつ上方へ持ち上げると、図８に示すように、カッター部材５０は、刃先部５１が上方へ押し上げられることに伴い、回動軸５３を中心にシーソー状に回動することで、押さえ部５２が下方へ押し下げられる。
上記のように押し下げられた押さえ部５２は、繰出路４９上にて棚板４４の上面との間でペーパーＰを挟み込むことにより、繰出路４９における該ペーパーＰの繰り出しを押し止める。
結果、該ペーパーＰは、該ペーパーＰを上方へ持ち上げる手と逆の手を使わずとも、切断機構部２４の内部の繰出路４９上で一端がロックされた状態になり、弱い力であっても該ペーパーＰを好適に切断することができる。
ペーパーＰを切断した後、カッター部材５０の刃先部５１は自重による付勢力によって元の位置に戻り、刃先カバー５６もまた自重による付勢力によって元の位置に戻る。
【００１９】
上記切断機構部２４において、下部ベース４１を構成する上記右側板４３Ａの後部には、右挿着スリット４６Ａが貫通形成されている。これと同様に、上記左側板４３Ｂの後部には、左挿着スリット４６Ｂが貫通形成されている。これら右挿着スリット４６Ａ及び左挿着スリット４６Ｂは、上記切断機構部２４を上記ホルダー本体２３に装着するための複数の取付部４６を構成している。
そして、上記ホルダー本体２３に上記切断機構部２４を装着する際には、上記ペーパーＰの繰り出し方向が使用者にとって使い勝手の良い方向となるように、複数の取付部４６から何れか一つが選択される。
【００２０】
上記ペーパーホルダー２０のポータブルトイレ１０への取り付けについて説明する。
上記ペーパーホルダー２０をポータブルトイレ１０に取り付ける場合、まず使用者の事情に応じ、該使用者にとって使い勝手が良い側のアームレスト１５Ａ，１５Ｂの下面に固定部材２１をネジ等によって固定する。例えば、使用者にとって使い勝手の良い位置が右側前方の場合は、図１に示すように、右側アームレスト１５Ａに固定部材２１を取り付ける。
次いで、固定部材２１のグリップ部４１に連結部材２２の軸体４４を嵌着して固定部材２１と連結部材２２を連結した後、該連結部材２２のグリップ部４１にホルダー本体２３の軸体４４を嵌着して連結部材２２とホルダー本体２３を連結する。
上記グリップ部４１への軸体４４の嵌着は、グリップ部４１の切欠部分４２に軸体４４の軸部４４Ｂを押し当て、該軸部４４Ｂを該グリップ部４１の内側へ圧入することによって行う。
そして該グリップ部４１の内側へ圧入された該軸部４４Ｂは、周面に設けられた何れかの凹条４５が、該グリップ部４１の内面に設けられた突条４３に係合されることにより、グリップ部４１に対する軸体４４の回動が規制され、固定部材２１に対する連結部材２２の連結角度と、連結部材２２に対するホルダー本体２３の連結角度とが、所定角度で固定される（図９参照）。
また連結状態にある上記グリップ部４１と上記軸体４４においては、該グリップ部４１の上面に該軸体４４のベース部４４Ａの下面が当接されているので、該軸体４４の該グリップ部４１からの下方への抜け落ちが抑制されている。
【００２１】
ここで、上記連結角度調整手段を用いた上記ペーパーホルダー２０の位置調節について説明する。
上記ペーパーホルダー２０は、固定部材２１と連結部材２２の間、及び、連結部材２２とホルダー本体２３の間に、連結角度調整手段が設けられているため、ホルダー本体２３に支持されたロールペーパーＲＰが使用者にとって使い勝手の良い位置となるように、ホルダー本体２３の位置調節が行われる。該位置調節は、固定部材２１に対して連結部材２２を、あるいは連結部材２２に対してホルダー本体２３を強い力で略水平方向に動かすことによって行われる。
つまり、上記ホルダー本体２３あるいは必要であれば上記連結部材２２に強い力を加えて水平方向に動かすと、上記グリップ部４１は、上記切欠部分４２を広げるようにして変形することで拡径されるので、凹条４５の突条４３との係合が解除された状態となる。
上記のように凹条４５と突条４３との係合関係が解除された状態で上記ホルダー本体２３あるいは上記連結部材２２を動かし、上記ホルダー本体２３が所望の位置になった所で力を弱めると、該所望の位置の状態で突条４３と最も近い位置にある凹条４５が、該突条４３と係合し、固定部材２１、連結部材２２及びホルダー本体２３のそれぞれの連結角度が所定角度で固定され、ホルダー本体２３が所望の位置に保持される（図９，図１０を参照）。
本実施形態の上記凹条４５は、３０°間隔置きに計７つが設けられており、固定部材２１、連結部材２２及びホルダー本体２３を一直線状に延ばした状態を０°として、連結部材２２及びホルダー本体２３は、それぞれ左右方向に９０°ずつ、計１８０°の範囲で連結角度を変更することができるようになっている。
上記連結時や位置調節時において、該グリップ部４１は、該切欠部分４２を拡げるように変形するが、圧入後に元の形状に復帰することができるように、該グリップ部４１は、合成樹脂、金属等の弾性材料によって形成することが望ましい。またグリップ部４１は、強い力で該切欠部分４２を拡げるように変形するので、万一、使用者がペーパーホルダー２０に衝突した際には、該切欠部分４２が拡がって連結角度を変えたり、あるいは上記軸体４４の連結状態を解除したりすることで、該衝突によるケガの発生やペーパーホルダー２０の破損を抑制している。
なお、上記ペーパーホルダー２０の位置調節は、切断機構部２４の装着前、装着後の何れで行ってもよく、あるいは使用者がポータブルトイレ１０を使用する毎に所望に応じて適宜行ってもよく、位置調節を行うタイミングは特に限定されるものではない。
【００２２】
上記連結部材２２に上記ホルダー本体２３を連結した後、上記ホルダー本体２３に切断機構部２４を装着する。該切断機構部２４の装着に際しては、ペーパーＰの繰り出し方向が使用者にとって使い勝手の良い方向となるように、複数の取付部４６から何れかが選択される。
例えば使用者にとって使い勝手の良いロールペーパーＲＰの位置がポータブルトイレ１０の右側前方である場合、図１０の右側に示すように、上記切断機構部２４の取付部４６として右挿着スリット４６Ａが選択されて上記ホルダー本体２３の差込片３７が挿着される。
つまり、ロールペーパーＲＰからのペーパーＰの繰り出し方向は、使用者にとって都合の良い位置に上記ホルダー本体２３を置いた状態における該ホルダー本体２３からの上記支持アーム３５の延びる方向によって定まる。図１０の右側に示す状態であれば、図中に矢印で示したように、ペーパーＰの繰り出し方向は、平面視で支持アーム３５がホルダー本体２３から伸びる方向と直交する左方向となる。従って、該ペーパーＰの繰り出し方向と上記切断機構部２４の向きとが対応するように、右挿着スリット４６Ａが選択される。
一方、使用者にとって使い勝手の良いロールペーパーＲＰの位置がポータブルトイレ１０の左側前方である場合、図１０の左側に示すように、上記切断機構部２４の取付部４６として左挿着スリット４６Ｂが選択されて上記ホルダー本体２３の差込片３７が挿着される。この場合、ペーパーＰの繰り出し方向は、平面視で支持アーム３５がホルダー本体２３から伸びる方向と直交する右方向となる。
さらに使用者にとって使い勝手の良いロールペーパーＲＰの位置がポータブルトイレ１０の右側方である場合、図１１に示すように、上記切断機構部２４の左挿着スリット４６Ｂに上記ホルダー本体２３の差込片３７が挿着される。この場合、ペーパーＰの繰り出し方向は、平面視で支持アーム３５がホルダー本体２３から伸びる方向と直交する右方向となる。
【００２３】
本発明は上記した実施形態の構成に限定されるものではなく、以下のように実施形態の
構成を変更してもよい。
固定部材２１とホルダー本体２３との間には、連結部材２２を１つのみ設けることに限
定されず、固定部材２１とホルダー本体２３との間を２つ以上の連結部材２２で連結して
もよい。該連結部材２２同士の連結については、上記したように連結部材２２に設けられ
たグリップ部４１は、固定部材２１に設けられたグリップ部４１と同一構成であるので、
一方の連結部材２２のグリップ部４１に、他方のグリップ部４１の軸体４４を嵌着するこ
とで行われる。
取付部４６は、右挿着スリット４６Ａ及び左挿着スリット４６Ｂの２つに限らず、例え
ば上記切断機構部２４の後面下部や前面下部に設けたりして３つ以上を設けてもよい。
固定部材２１は、上記実施形態のようにネジ等によって固定されるものに限定されず、
例えば、図１２に示す固定部材２１Ａのように、側面視クランク状の柱部３１Ａを有し、
該柱部３１Ａの上下両端に上記したグリップ部４１を設けた構成とし、また該固定部材２
１Ａに応じて、ポータブルトイレ１０のアームレスト１５Ａ，１５Ｂを丸棒状の支持柱で
支える構成とし、かつ該支持柱の周面にグリップ部４１の突条４３と係合する複数の凹条
を形成してもよい。そして該固定部材２１Ａを使用した場合、ペーパーホルダー２０を回
動させ、かつ上下摺動させて使用し易い位置に置くことが出来る。
上記連結角度調整手段においては、必ずしもグリップ部４１に突条４３を設け、軸体４
４の軸部４４Ｂに凹条４５を設けることに限定されず、グリップ部４１の内周面に複数の
凹条４５を設け、軸部４４Ｂに突条４３を設けてもよい。また凹凸の係合関係による連結
角度調整が可能であれば、例えば突条４３に代えて、先端が半球状をなす突起をグリップ
部４１あるいは軸部４４Ｂに設けてもよく、さらに凹条４５に代えて、該先端が半球状を
なす突起に応じた形状の穴部を軸部４４Ｂあるいはグリップ部４１に設けてもよい。
【産業上の利用可能性】
【００２４】
本発明にあっては、ホルダー本体に対する切断機構部の装着向きを使用者にとって使い勝手の良い向きに適宜変更でき、また切断機構部はペーパーを片手のみで切断出来るように構成されているので、ペーパーの繰り出しに使用可能な手が右手又は左手の何れかに制限されることを抑制することができるとともに、右手及び左手の何れの手を使用した場合であっても、片手のみでペーパーを容易に切ることができるから、産業上の利用可能性がある。
【符号の説明】
【００２５】
１０      ポータブルトイレ
２０      ペーパーホルダー
２１      固定部材
２２      連結部材
２３      ホルダー本体
２４      切断機構部
４１      グリップ部
４３      突条
４４      軸体
４５      凹条
【図１】
0005866647.tif 000002
【図２】
0005866647.tif 000003
【図３】
0005866647.tif 000004
【図４】
0005866647.tif 000005
【図５】
0005866647.tif 000006
【図６】
0005866647.tif 000007
【図７】
0005866647.tif 000008
【図８】
0005866647.tif 000009
【図９】
0005866647.tif 000010
【図１０】
0005866647.tif 000011
【図１１】
0005866647.tif 000012
【図１２】
0005866647.tif 000013